(57)【要約】      （修正有）【課題】信頼性のある紙葉類の真偽判別結果を得る。【解決手段】紙幣１０に赤外線を照射する赤外線ＬＥＤ４と、可視光線を照射する青色ＬＥＤ５と、紙幣を透過した赤外線を受光するとともに紙幣から反射した可視光線を受光するＣＣＤセンサ６と、ＣＣＤカメラ６が受光した赤外線、及び、可視光線に基づいて、赤外線による紙幣の透かし部のパターン、及び、可視光線による透かし部の模様の取得の有無により紙幣の真偽を判別する演算部１２とを備える。【選択図】図３
2006285775.tif 000002
【特許請求の範囲】
【請求項１】
紙葉類に透過光を照射する透過光照射部と、
前記紙葉類を透過した前記透過光を受光する透過光受光部と、
前記透過光受光部が受光した透過光に基づいて、前記紙葉類の真偽を判別する真偽判別部と
を備えていることを特徴とする紙葉類鑑別装置。
【請求項２】
紙葉類に反射光を照射する反射光照射部と、
前記紙葉類を反射した反射光を受光する反射光受光部と、
前記反射光受光部が受光した反射光に基づいて、前記紙葉類の真偽を判別する真偽判別部と
を備えていることを特徴とする紙葉類鑑別装置。
【請求項３】
紙葉類に透過光を照射する透過光照射部と、
前記紙葉類を透過した前記透過光を受光する透過光受光部と、
前記紙葉類に反射光を照射する反射光照射部と、
前記紙葉類を反射した反射光を受光する反射光受光部と、
前記透過光受光部が受光した透過光及び前記反射光受光部が受光した反射光に基づいて、前記紙葉類の真偽を判別する真偽判別部と
を備えていることを特徴とする紙葉類鑑別装置。
【請求項４】
前記真偽判定部は、
前記透過光受光部が受光した透過光及び／又は前記反射光受光部が受光した反射光に基づいて、前記紙葉類のパターンを取得するパターン取得部を有し、
前記パターン取得部の取得結果に基づいて、前記紙葉類の真偽を判別する
ことを特徴とする請求項１〜３の何れか１項に記載の紙葉類鑑別装置。
【請求項５】
前記真偽判別部は、
前記透過光受光部が受光した透過光に基づいて、前記紙葉類の材質及び／又は厚さを検出する検出部を有しており、
前記検出部の検出結果に基づいて、前記紙葉類の真偽を判別することを特徴とする請求項１〜４の何れか１項に記載の紙葉類鑑別装置。
【請求項６】
前記透過光受光部及び前記反射光受光部は、一つの受光部として構成されていることを特徴とする請求項３〜５のいずれか１項に記載の紙葉類鑑別装置。
【発明の詳細な説明】
【技術分野】
【０００１】
本発明は、紙幣、証券、金券といった紙葉類の真偽を鑑別する紙葉類鑑別装置に関するものである。
【背景技術】
【０００２】
近年、プリンタ（カラーコピー）やスキャナの普及に伴い、偽造紙幣が簡単に製造されている。このため、例えば、特許文献１のような発明の偽造紙幣を検出する装置が提案されている。特許文献１の発明は、紙幣に印刷された偽造防止用のマイクロ文字を読み取って画像を取得し、この画像にフーリエ変換を行ったフーリエ変換画像を作成する。そしてフーリエ変換画像に含まれる周波数成分と予め記憶させておいた閾値とを比較して紙幣の真偽を判別するようになっている。
【０００３】
【特許文献１】特開平０９−３３０４５０号公報
【発明の開示】
【発明が解決しようとする課題】
【０００４】
ところが、近年のプリンタ等は高機能であり、偽造紙幣の印刷部分は本物と区別がつき難いほど巧妙となってきている。このため、特許文献１のように印刷部分（マイクロ文字）を読み取って紙幣の真偽を判別することが困難になってきており、より信頼性のある真偽判別結果が得られることが望まれている。
【０００５】
そこで、本発明の目的は、信頼性のある紙幣、証券、金券といった紙葉類の真偽判別結果を得ることができる紙葉類鑑別装置を提供することである。
【課題を解決するための手段及び効果】
【０００６】
本発明は、紙葉類に透過光を照射する透過光照射部と、紙葉類を透過した透過光を受光する透過光受光部と、透過光受光部が受光した透過光に基づいて、紙葉類の真偽を判別する真偽判別部とを備えている。
【０００７】
この構成によると、紙葉類を透過する透過光に基づいて真偽を判定するようになっているため、偽の紙葉類が巧妙に印刷されたものであっても、真の紙葉類の透過光との相違により紙葉類の真偽を判別することができ、信頼性のある紙葉類の真偽判別結果を得ることができる。具体的には、紙葉類が一般プリンタで印刷されている場合、真の紙葉類と偽紙葉類とでは、透過光受光部が受光する透過光量が異なるため、例えば、真の紙葉類と偽紙葉類とを透過した透過光を対比することで、紙葉類の真偽を判別することができるようになる。
【０００８】
別の観点において、本発明は、紙葉類に反射光を照射する反射光照射部と、紙葉類を反射した反射光を受光する反射光受光部と、反射光受光部が受光した反射光に基づいて、紙葉類の真偽を判別する真偽判別部とを備えている。
【０００９】
この構成によると、紙葉類を反射する反射光に基づいて真偽を判定するようになっているため、偽の紙葉類が巧妙に印刷されたものであっても、真の紙葉類の反射光との相違により紙葉類の真偽を判別することができ、信頼性のある紙葉類の真偽判別結果を得ることができる。具体的には、紙葉類が一般プリンタで印刷されている場合、真の紙葉類と偽紙葉類とでは、反射光受光部が受光する反射光量が異なるため、例えば、真の紙葉類と偽紙葉類とを反射した反射光を対比することで、紙葉類の真偽を判別することができるようになる。
【００１０】
さらに、別の観点において、紙葉類に透過光を照射する透過光照射部と、紙葉類を透過した透過光を受光する透過光受光部と、紙葉類に反射光を照射する反射光照射部と、紙葉類を反射した反射光を受光する反射光受光部と、透過光受光部が受光した透過光及び反射光受光部が受光した反射光に基づいて、紙葉類の真偽を判別する真偽判別部とを備えている。
【００１１】
この構成によれば、透過光と反射光とを紙葉類に照射し、紙葉類を透過した透過光と、紙葉類を反射した反射光とから紙葉類の真偽を鑑別するようになっている。この場合、１つの光を紙葉類に照射し、紙葉類の真偽を判別する場合との対比において、高精度に真偽の判別を行うことができる。
【００１２】
例えば、紙葉類が紙幣である場合、紙幣には「透かし」が形成されている。真紙幣の透かし部は特殊な製造方法で作成された凹凸の模様を有しているが、偽紙幣の透かし部の模様は、インキトナーなどにより印字されているだけである。インキトナーは、一般的には赤外線を透過するようになっている。したがって、透過光を赤外線とした場合、透かし部を透過する赤外線の透過光量が真紙幣と偽紙幣とで相違する。また、インキトナーを含む偽紙幣の透かし部は、斜めに照射した光を反射するようになるため、真紙幣の場合と異なり、透かし部の模様が明確に浮き立つようになる。これらの真紙幣と偽紙幣との相違点に基づいて、紙幣の真偽を判別することで、より高精度に真偽の判別を行うことができる。
【００１３】
また、本発明の真偽判定部は、透過光受光部が受光した透過光及び／又は反射光受光部が受光した反射光に基づいて、紙葉類のパターンを取得するパターン取得部を有し、パターン取得部の取得結果に基づいて、紙葉類の真偽を判別する構成であってもよい。
【００１４】
この構成によると、パターンを取得し、その取得結果に基づいて紙葉類の真偽を判別するため、受光した透過光や反射光が同じでも、紙葉類のパターンによって真偽を判別することで、より高精度に紙葉類の真偽を判別することができる。
【００１５】
また、本発明の真偽判別部は、透過光受光部が受光した透過光に基づいて、紙葉類の材質及び／又は厚さを検出する検出部を有しており、検出部の検出結果に基づいて、紙葉類の真偽を判別するようにしてもよい。
【００１６】
この構成によると、紙葉類の材質及び／又は厚さに基づいても紙葉類の真偽を判別するようになっているため、さらに高精度に紙葉類を判別することができる。
【００１７】
さらに、本発明の透過光受光部及び反射光受光部は、一つの受光部により構成されていてもよい。この構成によると、透過光受光部及び反射光受光部が一つの受光部により構成されているため、装置の省スペース及びコストの低減を実現することができる。
【発明を実施するための最良の形態】
【００１８】
以下、好適な実施の形態について図面を参照しつつ説明する。
【００１９】
本実施の形態にかかる紙葉類鑑別装置１は、紙幣１０を一枚ずつ載置し、載置した紙幣１０の透かし部１０ａに赤外線（透過光）と可視光（反射光）とを照射し、赤外線が透かし部１０ａを透過した透過光量と、可視光が透かし部１０ａを反射した反射光量とから、透かし部１０ａのパターンを取得して、紙幣の真偽、即ち、正規の紙幣１０であるか、不正に偽造された紙幣１０であるかを鑑別（判別）する装置である。以下の説明において、正規の紙幣１０を真券、不正に偽造された紙幣１０を偽券と言う。なお、本実施の形態では、真偽を判別する対象を紙幣として説明するが、紙葉類鑑別装置１は、証券や金券等の紙葉類にも使用することができる。
【００２０】
真券の透かし部１０ａは、特殊な製造方法により凹凸のある人物模様（パターン）が形成されているが、偽券の透かし部１０ａは、一般的なインキトナーによって人物模様（パターン）が印字されていることが多い。このため、真券及び偽券の透かし部１０ａにおける光学的な特性がことなるため、赤外線や可視光を透かし部１０ａに照射し、それらを受光することで、紙幣１０の真偽が判別できるようになっている。
【００２１】
（紙葉類鑑別装置の構造）
紙葉類鑑別装置１は、図１及び図２に示すように、紙幣１０を載置する平状の載置部２ａを有する筐体２と、載置部２ａに載置された紙幣１０に対して垂直に押し付け可能な押付部３と、赤外線ＬＥＤ４（透過光照射部）と、青色ＬＥＤ５（反射光照射部）と、ＣＣＤ（Charge Coupled Device）センサ６（透過光受光部、反射光受光部）と、表示ＬＥＤ７ａ・７ｂを有している。また、筐体２の載置部２ａには、載置された紙幣１０の透かし部１０ａと重合する部分に、少なくとも透かし部１０ａよりも大きい孔２ｂが設けられている。かかる孔２ｂを設けることで、後述の赤外線を少なくとも紙幣１０の透かし部１０ａに透過させることができ、また、紙幣１０の下側から照射した可視光を紙幣１０の透かし部１０ａで反射させることができるようになっている。
【００２２】
押付部３は、把手３ａと平板３ｂとを有しており、平板３ｂが載置部２ａと平行に配置され、鉛直方向に移動可能に設けられている。そして、把手３ａが、平板３ｂの上面に設けられており、把手３ａを下方に押し下げることで、平板３ｂの下面が載置部２ａと密着するようになっている。また、平板３ｂと載置部２ａとには、図示しないスイッチが設けられており、平板３ｂの下面と載置部２ａとが接触すると、スイッチがオンとなり、後述の赤外線ＬＥＤ４や青色ＬＥＤ５が紙幣１０の透かし部１０ａに赤外線及び可視光を照射し、紙幣１０の真偽の鑑別を開始するようになっている。なお、かかるスイッチは、接触式のスイッチであってもよいし、センサなどによる非接触式のスイッチであってもよい。
【００２３】
上記のように、押付部３の平板３ｂを載置部２ａに密着するように構成することで、載置部２ａに載置された紙幣１０をプレスすることができ、それによって、シワがある紙幣１０であっても、かかるシワを引き伸ばすことができる。それにより、後述のＬＥＤ４・５からの赤外線を透かし部１０ａに透過されることができ、また、可視光を透かし部１０ａに反射させることができる。その結果、より高精度に紙幣１０の真偽を鑑別することができる。
【００２４】
なお、本実施の形態では、押付部３を押し下げることで、鑑別を開始するようになっているが、紙幣１０を載置部２ａに載置すると、センサで検知して、鑑別を開始するようにしてもよいし、紙幣１０の搬送装置を設けて、自動的に紙幣１０を載置部２ａに搬送し、鑑別するようにしてもよい。
【００２５】
赤外線ＬＥＤ４は、上記の押付部３の平板３ｂ内に略水平に設けられており、上記の平板３ｂと載置部２ａとに設けられたスイッチがオンとなると、赤外線を水平に照射する。また、上記の平板３ｂは、内部に導光板（図示せず）を有しており、水平に照射された赤外線を載置部２ａに載置された紙幣１０に略垂直に照射するようになっている。ここで、導光板とは、アクリル板の表面に特殊な加工をほどこして、端面より入れた光を均一に面発光させる板である。なお、紙幣１０に照射された赤外線は、少なくとも紙幣１０の透かし部１０ａに照射されるようになっており、紙幣１０に照射された赤外線は、孔２ｂを通過し後述のＣＣＤセンサ６で受光されるようになっている。
【００２６】
なお、本実施の形態では、赤外線ＬＥＤ４を設けて、赤外線を紙幣１０に透過させているが、可視光と赤外線とを組み合わせた光を紙幣１０に透過させるようにしてもよい。この場合、かかる透過光が、透かし部１０ａとそれ以外の領域とに照射された場合であっても、可視光の波長帯域と赤外線の波長帯域とが重なることがなく、また、紙幣１０の透かし部１０ａとそれ以外の領域との光特性が異なるため、透かし部１０ａとそれ以外の領域とをより明確に区別できるようになり、紙幣１０の真偽の鑑別を容易にすることができるようになる。また、紙幣１０に透過させる透過光を紫外線としてもよい。
【００２７】
青色ＬＥＤ５は、筐体２の内部に設けられており、上記の平板３ｂと載置部２ａとに設けられたスイッチがオンとなると、青色の可視光を斜めに照射する。具体的には、青色ＬＥＤ５は、載置部２ａの孔２ｂを介して、紙幣１０の透かし部１０ａに、紙幣１０の下側から斜めに青色の可視光を照射するように設けられている。なお、本実施の形態では、真券の透かし部１０ａがイエローやマゼンダとし、可視光をイエローやマゼンダの補色である青色としているが、水色や緑色に近いものであってもよく、真券の透かし部１０ａの色と補色関係にある色の可視光であればよい。
【００２８】
詳しくは後述するが、光が物質に当たったとき、物質表面色の補色が物質に吸収され、それ以外の色の光が反射するようになっている。つまり、透かし部１０ａの補色の可視光を斜めに照射すると、真券の透かし部１０ａの場合は、可視光が吸収されるが、インキトナーで印字された偽券の透かし部１０ａの場合は、照射された可視光が反射し、後述のＣＣＤセンサ６で受光されるようになっている。ここで、補色とは、赤→オレンジ→黄色→緑→青→紫と変化する色のスペクトルを円にした時に選んだ色の反対側に位置する色である。
【００２９】
なお、本実施の形態の紙葉類鑑別装置１では、青色ＬＥＤ５を、反射光を照射する光源として備えているが、ＲＧＢの３色を備えた光源（例えば、ＬＥＤ）を備え、設定により照射光の色を変える（選択）ことができるような構成にしてもよい。この場合、真偽を判定する紙葉類が紙幣１０以外の場合であっても、色を選択することで、簡単に適用させることができる。
【００３０】
ＣＣＤセンサ６は、電気に変換する受光素子を1列に配置した、光の変化を画素ごとに独立して電気信号に変換するラインセンサであり、筐体２の内部で、載置部２ａの孔２ｂに対向するように設けられている。そして、透かし部１０ａを透過した赤外線ＬＥＤ４からの赤外線や、透かし部１０ａで反射した青色ＬＥＤ５からの可視光を受光する。１つのセンサで、赤外線及び可視光を受光することで、装置の省スペースやコストの低減を実現することができるようになっている。ＣＣＤセンサ６が赤外線や可視光を受光すると、後述の制御器１１受講にデータを送信する。そして、制御器１１において紙幣１０の真偽が鑑別される。かかる鑑別方法等は後述する。
【００３１】
なお、本実施の形態は、可視光を青色ＬＥＤ５から照射し、透かし部１０ａを反射した可視光をＣＣＤセンサ６により受光しているが、可視光を受光するセンサをＣＭＯＳセンサとし、ＣＭＯＳセンサや可視光の光源等が一体となったラインイメージセンサであってもよい。この場合、装置の省スペースを実現することができる。
【００３２】
表示ＬＥＤ７ａ・７ｂは、筐体２の上面に設けられ、紙幣の真偽の鑑別結果を報知する。具体的には、表示ＬＥＤ７ａは、青色ＬＥＤであり、表示ＬＥＤ７ｂは、赤色ＬＥＤである。そして、紙幣１０の鑑別結果が真の場合、即ち、紙幣１０が真券の場合、表示ＬＥＤ７ａ（青色ＬＥＤ）を発光し、紙幣１０の鑑別結果が偽の場合、即ち、紙幣１０が偽券の場合、表示ＬＥＤ７ｂ（赤色ＬＥＤ）を発光する。これにより、紙幣１０の真偽を見分けることができる。なお、筐体２の内部には、図示しないブザーが設けられており、紙幣１０が偽券の場合は、表示ＬＥＤ７ｂ（赤色ＬＥＤ）が発光すると同時にブザーが鳴るようになっている。
【００３３】
（装置の電気的構成）
上記した紙葉類鑑別装置１は、筐体２の内部に設けられている制御器１１によって制御されており、制御器１１は、電池１９から電力が供給され、動作するようになっている。制御器１１は、図３に示すように、演算部１２（真偽判別部、パターン取得部、検出部）と、ＬＥＤ駆動部１３と、Ａ/Ｄ変換部１４と、増幅器１５とを有している。演算部１２は、ＲＡＭ、ＲＯＭ、及びＣＰＵ等からなるマイクロコンピュータ等で構成されており、ＣＣＤセンサ６からの受光データに基づいて透かし部１０ａのパターン（模様）を取得する処理や、取得したパターンに基づいて紙幣１０の真偽を鑑別する処理、真偽の鑑別結果を報知する処理等を実行する。ＬＥＤ駆動部１３は、赤外線ＬＥＤ４、青色ＬＥＤ５及び表示ＬＥＤ７ａ・７ｂを発光可能にする。Ａ/Ｄ変換部１４は、ＣＣＤセンサ６に接続されており、ＣＣＤセンサ６からの信号をデジタル量に変換して取り込むことを可能にする。増幅器１５は、ＣＣＤセンサ６が読み取った信号を処理可能なように増幅させて、Ａ/Ｄ変換部１４に入力する。なお、本実施の形態では、電池１９から制御器１１に電力が供給するようになっているが、外部電源（ＡＣ電源、太陽電池等）から電力を供給するようにしてもよい。
【００３４】
（鑑別方法）
次に、上記のように構成された紙葉類鑑別装置１の演算部１２における処理である、紙幣１０の真偽の鑑別処理について説明する。
【００３５】
演算部１２は、ＣＣＤセンサ６が受光した、赤外線及び可視光に基づいて紙幣１０の真偽を鑑別する。具体的には、演算部１２は、一方でＣＣＤセンサ６が受光した赤外線から紙幣１０の真偽を鑑別し、他方でＣＣＤセンサ６が受光した可視光から紙幣１０の真偽を鑑別し、２つの鑑別結果に基づいて、最終的な紙幣１０の真偽を判定する。まず、赤外線による真偽の鑑別方法について説明する。
【００３６】
（赤外線による鑑別方法）
上記したように、真券及び偽券の透かし部１０における光学的な特性は異なっている。具体的には、真券の透かし部１０ａは、特殊な方法により凹凸の模様が形成されており、透かし部１０ａに赤外線を照射すると、透過する赤外線の透過率が凹凸の部分によって低下（変化）するようになっている。ところが、偽券の透かし部１０ａは、赤外線をほとんど透過する性質を有する一般的なインキトナーによって印字されているため、赤外線の透過率はほとんど変化しない。したがって、真券の場合は、透かし部１０ａを透過する赤外線の透過光量の変化に基づいて透かし部１０ａのパターン（模様）を取得することができるが、偽券の場合は、赤外線の透過光量に変化がないため透かし部１０ａのパターンを取得することができなくなる。それによって、紙幣１０の真偽を鑑別することができる。
【００３７】
なお、取得したパターンから紙幣１０の真偽を鑑別する方法としては、取得したパターンから明暗を交互に繰り返すパターン（波）を形成し、その繰り返しを周波数（空間周波数）として捉え、かかる空間周波数に基づいて鑑別を行うようにしてもよい。また、上記の明暗の振幅を、予め記憶しておく真券のデータと対比して鑑別を行うようにしてもよい。
【００３８】
また、演算部１２は、ＣＣＤセンサ６が受光した赤外線の透過光量に基づいて、紙幣１０の厚さや材質を検出する。即ち、予め真券の厚さや材質のデータを記憶させておき、受光した赤外線の透過光量から紙幣１０の厚さや材質を検出し、記憶しているデータと照合する。そして、一致した場合に、真券であると鑑別することができる。これにより、厚さや材質からも真偽を鑑別するようになっているため、より正確な紙幣１０の真偽を鑑別することができる。
【００３９】
（可視光による鑑別方法）
次に、可視光による真偽の鑑別方法について説明する。既に上記したが、光の特性として、光が物質に当たったとき、物質表面カラーの補色が物質に吸収され、残りが反射するようになっている。即ち、真券の透かし部１０ａの補色となる可視光を照射した場合、透かし部１０ａにおいて反射することはないため、真券の場合は、可視光によっては透かし部１０ａのパターンを取得することができない。一方、偽券の透かし部１０ａは、インキトナーにより印字されているため、可視光が反射し、反射した可視光をＣＣＤセンサ６で受光できるようになる。それにより、透かし部１０ａのパターンを取得することができるようになる。従って、ＣＣＤセンサ６が受光した可視光により、透かし部１０ａの模様を取得することができた場合は、偽券であると鑑別することができる。
【００４０】
なお、偽券で、透かし部１０ａが印字されていない場合は、真券の場合と同様に、可視光が反射することがなく、可視光によっては透かし部１０ａのパターンを取得することができない。
【００４１】
図４は、上記した方法で取得する透かし部１０ａのパターン結果のデータテーブルであり、図４のデータテーブルに基づいて、紙幣１０の真偽が鑑別される。具体的には、真券の場合も偽券の場合も、透かし部１０ａに光を照射しないと透かし部１０ａのパターンを取得することができない。そして、真券の場合、青色の可視光を照射しても、透かし部１０ａで可視光が反射することがないため、透かし部１０ａのパターンを取得することができないため、「透かしなし」となる。また、赤外線を照射すると、透かし部１０ａを透過する透過光量の相違から透かし部１０ａのパターンを取得することができ、「透かしあり」となる。
【００４２】
一方、偽券で、透かし部１０ａが印字されていない場合、可視光を照射しても、透かし部１０ａで可視光が反射することがないため、透かし部１０ａのパターンを取得することができないため、「透かしなし」となる。また、赤外線を照射しても、透かし部１０ａに厚み（凹凸）がないため、透過光量が変化することがなく、透かし部１０ａのパターンを取得することができないため、「透かしあり」となる。
【００４３】
また、偽券で、透かし部１０ａが印字されている場合、可視光を照射すると、透かし部１０ａを形成するインキトナーの影響で、可視光が反射するため、透かし部１０ａのパターンを取得することができ、「透かしあり」となる。また、赤外線を照射しても、透かし部１０ａに厚み（凹凸）がなく、また、インキトナーはほとんど赤外線を透過するため、透過光量が変化することがなく、透かし部１０ａのパターンを取得することができないため、「透かしあり」となる。
【００４４】
即ち、図４のデータテーブルに基づくと、可視光による鑑別結果が「透かしなし」で、赤外線による鑑別結果が「透かしあり」となった場合に、載置部２ａに載置された紙幣１０は真券であると鑑別することができる。このように、２つのデータから紙幣１０の真偽を判別することで、１つのデータから真偽を判別する場合との対比において、より信頼性のある、かつ、高精度な真偽の判別結果を得ることができる。また、光特性が異なるという性質に基づき、受光した透過光量や反射光量から真偽を判別するため、一見真券と区別ができないほど巧妙に印刷された偽券であっても、信頼性のある判別結果を得ることができる。
【００４５】
（紙葉類鑑別装置の動作）
次に、上記のように構成された紙葉類鑑別装置１の動作について説明する。紙葉類鑑別装置１は、図５に示すように、電源が投入されると、まず、ＣＣＤセンサ６の初期データを取得する（Ｓ１）。次に、スタートスイッチがオンされたか否かを判定する（Ｓ２）。具体的には、押付部３が押下され、押付部３の平板３ｂと載置部２ａとが接触し、スイッチがオンされたか否かを判定する。スタートスイッチがオンされていない場合（Ｓ２：ＮＯ）、Ｓ２を繰返す。スタートスイッチがオンされた場合（Ｓ２：ＹＥＳ）、赤外線ＬＥＤ４及び青色ＬＥＤ５を駆動し、赤外線及び可視光を透かし部１０ａに照射する（Ｓ３）。そして、ＣＣＤセンサ６により、透かし部１０ａを透過した赤外線及び反射した可視光を受光（Ｓ４）し、受光したデータに基づいて、透かし部１０ａのパターンを取得し、取得したパターンを補正し、正規化する（Ｓ５）。なお、ここで、ＣＣＤセンサ６により受光したデータが小さく、補正及び正規化できない場合、赤外線ＬＥＤ４及び青色ＬＥＤ５の明度を上げて再度透過光及び反射光を受光するようにしてもよい。この場合、データ処理ができないために紙幣１０の真偽判定の精度が落ちるというおそれをなくすことができる。
【００４６】
そして、取得したパターンに基づいて、紙幣１０の真偽を鑑別し（Ｓ６）、鑑別した結果、紙幣１０が真券か否かを判定する（Ｓ７）。紙幣１０が真券である場合（Ｓ７：ＹＥＳ）、表示ＬＥＤ７ａ（青色ＬＥＤ）を発光し、真券である旨を報知し、Ｓ２に戻り上記動作を繰返す。紙幣１０が真券でない場合（Ｓ７：ＮＯ）、ブザー１７及び表示ＬＥＤ７ｂにより、紙幣１０が偽券である旨を報知し（Ｓ９）、Ｓ２に戻り上記動作を繰返す。
【００４７】
以上のように、本実施形態の紙葉類鑑別装置１は、紙幣１０に赤外線を照射する赤外線ＬＥＤ４と、紙幣１０を透過した赤外線を受光するＣＣＤセンサ６と、ＣＣＤカメラ６が受光した赤外線に基づいて、紙幣１０の真偽を判別する演算部１２とを備えている。
【００４８】
この構成によると、紙幣１０を透過する赤外線に基づいて真偽を判定するようになっているため、偽券が巧妙に印刷されたものであっても、真券を透過した赤外線との相違により紙幣１０の真偽を判別することができ、信頼性のある紙幣１０の真偽判別結果を得ることができる。具体的には、紙幣１０が一般プリンタで印刷されている場合、真券と偽券とでは、ＣＣＤセンサ６が受光する透過光量が異なるため、例えば、真券と偽券とを透過した赤外線を対比することで、紙幣１０の真偽を判別することができるようになる。
【００４９】
また、本実施形態の紙葉類鑑別装置１は、紙幣１０に可視光を照射する青色ＬＥＤ５と、紙幣１０を反射した可視光を受光するＣＣＤセンサ６と、ＣＣＤセンサ６が受光した可視光に基づいて、紙幣１０の真偽を判別する演算部１２とを備えている。
【００５０】
この構成によると、紙幣１０を反射するに可視光に基づいて真偽を判定するようになっているため、偽券が巧妙に印刷されたものであっても、真券を反射した可視光との相違により紙幣１０の真偽を判別することができ、信頼性のある紙幣１０の真偽判別結果を得ることができる。具体的には、紙幣１０が一般プリンタで印刷されている場合、真券と偽券とでは、ＣＣＤセンサ６が受光する反射光量が異なるため、例えば、真券と偽券とを反射した可視光を対比することで、紙幣１０の真偽を判別することができるようになる。
【００５１】
さらに、本実施形態の紙葉類鑑別装置１は、紙幣１０に赤外線を照射する赤外線ＬＥＤ４と、紙幣１０を透過した赤外線を受光するＣＣＤセンサ６と、紙幣１０に可視光を照射するＣＣＤセンサ６と、紙幣１０を反射した可視光を受光するＣＣＤセンサ６と、ＣＣＤセンサ６が受光した赤外線及び可視光に基づいて、紙幣１０の真偽を判別する演算部１２とを備えている。
【００５２】
この構成によれば、赤外線及び可視光とを紙幣１０に照射し、紙幣１０を透過した赤外線と、紙幣１０を反射した可視光とから紙幣１０の真偽を鑑別するようになっている。この場合、１つの光を紙幣１０に照射し、紙幣１０の真偽を鑑別する場合との対比において、高精度に真偽の鑑別を行うことができる。
【００５３】
例えば、紙幣には「透かし」が形成されている。真紙幣の透かし部は特殊な製造方法で作成された凹凸の模様を有しているが、偽紙幣の透かし部の模様は、インキトナーなどにより印字されているだけである。インキトナーは、一般的には赤外線を透過するようになっている。したがって、透過光を赤外線とした場合、透かし部を透過する赤外線の透過光量が真紙幣と偽紙幣とで相違する。また、インキトナーを含む偽紙幣の透かし部は、斜めに照射した光を反射するようになるため、真紙幣の場合と異なり、透かし部の模様が明確に浮き立つようになる。これらの真紙幣と偽紙幣との相違点に基づいて、紙幣の真偽を判別することで、より高精度に真偽の判別を行うことができる。
【００５４】
また、本実施の形態の演算部１２は、ＣＣＤセンサ６が受光した赤外線及び／又は可視光に基づいて、紙幣１０のパターンを取得し、取得結果に基づいて、紙幣１０の真偽を判別する構成である。
【００５５】
この構成によると、パターンを取得し、その取得結果に基づいて紙幣１０の真偽を鑑別するため、受光した赤外線や可視光が同じでも、紙幣１０のパターンによって真偽を鑑別することで、より高精度に紙幣１０の真偽を鑑別することができる。
【００５６】
また、本実施の形態の演算部１２は、ＣＣＤセンサ６が受光した透過光に基づいて、紙幣１０の材質及び／又は厚さを検出し、検出結果に基づいて、紙幣１０の真偽を鑑別する。
【００５７】
この構成によると、紙幣１０の材質及び／又は厚さに基づいても紙幣１０の真偽を鑑別するようになっているため、さらに高精度に紙幣１０を鑑別することができる。
【００５８】
さらに、本実施の形態は、一つのＣＣＤセンサ６により、赤外線及び可視光を受光するように構成されていている。この構成によると、装置の省スペース及びコストの低減を実現することができる。
【００５９】
また、本発明を好適な実施の形態に基づいて説明したが、本発明はその趣旨を超えない範囲において変更が可能である。即ち、紙幣１０の真偽の結果を、表示ＬＥＤ７ａ・７ｂ及びブザー１７を用いて報知しているが、これ以外の方法で結果を報知するようにしてもよい。また、青色ＬＥＤ５は、紙幣１０の下側から可視光を透かし部１０ａに照射しているが、紙幣１０の上側から照射するようにしてもよい。なお、この場合、紙幣１０の上側に反射した可視光を受光するＣＣＤセンサを配置しなければならない。また、紙幣１０の上側及び下側の両側から可視光を照射するようにしてもよいし、赤外線ＬＥＤ４と青色ＬＥＤ５の何れか１つのみを備えて、紙幣１０の真偽を鑑別するようにしてもよい。
【００６０】
また、本実施の形態では、赤外線ＬＥＤから水平方向に赤外線を照射し、導光板により紙幣の透かし部１０ａに垂直に照射するようにしているが、赤外線ＬＥＤから直接透かし部１０ａに垂直に照射するようにしてもよい。さらに、紙幣１０を透過させる透過光は、紫外線であってもよい。また、光を照射する光源は、ＬＥＤ以外の光源であってもよい。そして、本実施の形態のように紙幣１０の真偽を鑑別する場合、紙幣１０の透かし部１０ａ以外の領域に光を照射して、真偽を鑑別するようにしてもよい。
【００６１】
さらに、赤外線ＬＥＤ４や青色ＬＥＤ５から照射する光の明度を調節する手段を設けるようにしてもよい。具体的には、ＣＣＤセンサ６が受光したデータが小さく、データ処理が難しい場合に、赤外線ＬＥＤ４や青色ＬＥＤ５の光の明度を大きくして、再度受光してデータ処理を行うようにしてもよい。この場合、データ処理ができないために紙幣１０の真偽判定の精度が落ちるというおそれをなくすことができる。
【００６２】
その他、具体的構成などは、適宜設計変更可能であり、上述の実施形態を適宜組み合わせるようにしてもよい。尚、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【図面の簡単な説明】
【００６３】
【図１】本発明の紙葉類鑑別装置の外観を示す図。
【図２】図１のII−II線における断面の概略図。
【図３】紙葉類鑑別装置の電気的構成を示すブロック図。
【図４】紙幣の真偽鑑別に用いられるデータテーブルを示す図。
【図５】紙葉類鑑別装置の動作を説明するためのフローチャートを示す図。
【符号の説明】
【００６４】
１    紙葉類鑑別装置
２    筐体
２ａ  載置部
２ｂ  孔
３    押付部
４    赤外線ＬＥＤ
５    青色ＬＥＤ
６    ＣＣＤセンサ
７ａ・７ｂ  表示ＬＥＤ
１０  紙幣
１０ａ  透かし部
【図１】
2006285775.tif 000003
【図２】
2006285775.tif 000004
【図３】
2006285775.tif 000005
【図４】
2006285775.tif 000006
【図５】
2006285775.tif 000007